(57)【要約】      （修正有）【課題】適応符号化・変調（ＡＣＭ）を使用して、送信機から受信機にデータを送信するデータ転送速度を、フィードバック、フォーワード誤り訂正符号を規定するＡＣＭプロファイル、および変調方式に基づき、選択設定される通信方法を提供する。【解決手段】フィードバックの使用不可能が検出されると、送信機の動作は、フィードバックとは独立に変更される。別の方法は、データが、２つのＡＣＭプロファイルを使用して通信を行うことで、ＡＣＭを使用する双方向リンクの２つの対向する方向の上で交換される。接続制約が、両方向において規定される。２つのＡＣＭプロファイルは、２つのリンク方向での第１および第２の測定された受信品質測定基準に基づいて、接続制約に一致するように設定される。さらに別の方法は、ＡＣＭプロファイルのサブセットが一時的に使用不可能のとき、データは、使用不可能となったＡＣＭプロファイルだけを使用して送信される。【選択図】図１
2009027690.tif 000002
【特許請求の範囲】
【請求項１】
無線通信リンク上で、送信機から受信機に、適応符号化・変調（ＡＣＭ）を使用して、可変のデータ転送速度でデータを送信すること、
前記受信機から前記送信機にフィードバックされるフィードバック情報と、前記データの符号化および変調のためにフォーワード誤り訂正（ＦＥＣ）符号および変調方式を規定するＡＣＭプロファイルと、に基づく選択によって、前記データを送信する前記可変のデータ転送速度を設定すること、および
前記フィードバック情報が使用不可能であることを検出したとき、前記フィードバックとは独立に前記送信機の動作を変更することを備える通信方法。
【請求項２】
前記フィードバック情報は、前記受信機によって評価される受信品質測定基準を含む請求項１に記載の方法。
【請求項３】
前記受信品質測定基準は、受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）、フレーム誤り率（ＦＥＲ）、および前記ＦＥＣの復号化処理で生成された測定基準を含む測定基準のグループから選択された、少なくとも１つの測定基準を含む請求項２に記載の方法。
【請求項４】
前記送信機の動作を変更することは、現在選択されているＡＣＭに対して改善されたリンク・バジェットを規定するＦＥＣ符号および変調方式のＡＣＭプロファイルに切り替えること含む請求項１に記載の方法。
【請求項５】
前記データ転送速度を設定することは、使用可能なＡＣＭプロファイルの所定のセットから前記ＡＣＭプロファイルを選択することを含み、前記改善されたリンク・バジェットを有する前記ＡＣＭプロファイルは、前記使用可能なＡＣＭプロファイルの間で、最も高いリンク・バジェットを有するＡＣＭプロファイルを含む請求項４に記載の方法。
【請求項６】
前記データ転送速度を設定することは、使用可能なＡＣＭプロファイルの所定のセットから前記ＡＣＭプロファイルを選択することを含み、前記改善されたリンク・バジェットを有する前記ＡＣＭプロファイルは、前記使用可能なＡＣＭプロファイルの間で、次に高いリンク・バジェットを有するＡＣＭプロファイルを含む請求項４に記載の方法。
【請求項７】
前記改善されたリンク・バジェットを有する前記ＡＣＭプロファイルに切り替えることは、徐々に改善されるリンク・バジェットを有するＡＣＭプロファイルに、段階的に切り替えること含む請求項４に記載の方法。
【請求項８】
前記データ転送速度を設定することは、ＡＣＭプロファイルを使用するフィードバック通信リンク上で、前記受信機から前記送信機へのフィードバック情報を送信することを含み、前記送信機の動作を変更することは、前記フィードバック通信リンク内で現在選択されているＡＣＭプロファイル対して改善されたリンク・バジェットを有するＡＣＭプロファイルを使用して前記送信機へフィードバック情報を送信するように、前記受信機に要求を送信することを含む請求項１に記載の方法。
【請求項９】
前記無線通信リンクは、マイクロ波リンクまたはミリメートル波リンクの１つを含む請求項１に記載の方法。
【請求項１０】
前記データは、第１の時間間隔において、前記送信機から前記受信機に送信され、前記フィードバック情報は、前記第１の時間間隔とはオーバーラップしない第２の時間間隔において、前記受信機から前記送信機にフィードバックされる請求項１に記載の方法。
【請求項１１】
前記データは、第１の無線周波数において、前記送信機から前記受信機に送信され、前記フィードバック情報は、前記第１の無線周波数とは異なる第２の無線周波数において、前記受信機から前記送信機にフィードバックされる請求項１に記載の方法。
【請求項１２】
前記通信リンクは、ポイント・トゥ・マルチポイントシステム内の複数の通信リンクの１つであり、前記フィードバック情報が使用不可能であることを検出すること、および前記送信機の動作を変更することは、前記複数の通信リンク内の通信リンクの各々において、独立に実行される請求項１に記載の方法。
【請求項１３】
前記通信リンクは、ポイント・トゥ・マルチポイントシステム内の複数の通信リンクの１つであり、前記通信リンクの１つ以上からの前記フィードバック情報が使用不可能であることを検出したとき、前記送信機の動作を変更することは、前記複数の通信リンク内において、連帯して実行される請求項１に記載の方法。
【請求項１４】
適応符号化・変調（ＡＣＭ）を使用する双方向の無線通信リンクの第１および第２の対向する方向の上で、データを符号化および変調するためにフォーワード誤り訂正（ＦＥＣ）符号および変調方式を規定している第１および第２の個別のＡＣＭプロファイルによって決定される、第１および第２の個別の可変のデータ転送速度で通信することで、第１および第２の通信システムの間でデータを交換すること、
前記第１および第２の方向の動作に対する接続制約を規定すること、
前記双方向の無線通信リンクの前記第１および第２の方向の受信品質測定基準を、個別に測定すること、および
前記第１および第２の方向の動作が前記接続制約と一致するように、前記第１および第２の方向の受信品質測定基準に基づいて、第１および第２のＡＣＭプロファイルを設定することを備える通信方法。
【請求項１５】
前記第１および第２の可変のデータ転送速度で通信することは、個別のＦＥＣ符号および変調方式を規定する使用可能なＡＣＭプロフィルの所定のセットから、前記第１および第２のＡＣＭプロフィルを選択することを含む請求項１４に記載の方法。
【請求項１６】
前記受信品質測定基準は、受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）、フレーム誤り率（ＦＥＲ）、および前記ＦＥＣの復号化処理で生成された測定基準を含む測定基準タイプのグループから選択された、少なくとも１つの測定基準タイプを含む請求項１４に記載の方法。
【請求項１７】
前記接続制約は、前記第１のＡＣＭプロファイルが、前記第２のＡＣＭプロファイルと等しいことを特定する請求項１４に記載の方法。
【請求項１８】
前記接続制約は、前記通信リンクの第１および第２の方向の両方が、所定の品質サービスの（Ｑ〇Ｓ）レベルに一致することを特定する請求項１４に記載の方法。
【請求項１９】
前記第１および第２のＡＣＭプロファイルを設定することは、
前記第１の通信システムによって前記第１および第２のＡＣＭプロファイルを選択すること、および
前記選択されたＡＣＭプロファイルを設定するために、前記第１の通信システムによって前記第２の通信システムに指示することを含む請求項１４に記載の方法。
【請求項２０】
前記第１および第２のＡＣＭプロファイルを設定することは、
前記第１の通信システムによって、前記第１のＡＣＭプロファイルを選択すること、
前記第２の通信システムによって、選択された前記第１のＡＣＭプロファイルを検出すること、および
前記第２の通信システムによって、前記第１のＡＣＭプロファイルに対して応答可能な前記第２のＡＣＭプロファイルを、前記接続制約と一致するように選択することを含む請求項１４に記載の方法。
【請求項２１】
前記通信リンクは、ポイント・トゥ・マルチポイントシステム内の複数の双方向の通信リンクの１つであり、前記接続制約は、前記複数内の通信リンクの第１および第２方向の動作上で規定され、ＡＣＭプロファイルを設定することは、前記複数内の通信リンクの第１および第２方向のＡＣＭプロファイルを前記接続制約に一致するように設定することを含む請求項１４に記載の方法。
【請求項２２】
前記無線通信リンクは、マイクロ波リンクまたはミリメートル波リンクの１つを含む請求項１４に記載の方法。
【請求項２３】
前記通信リンクの第１の方向で交換されるデータは、第１の時間間隔において送信され、前記通信リンクの第２の方向で交換されるデータは、前記第１の時間間隔とはオーバーラップしない第２の時間間隔において送信される請求項１４に記載の方法。
【請求項２４】
前記通信リンクの第１の方向で交換されるデータは、第１の無線周波数で送信され、前記通信リンクの第２の方向で交換されるデータは、前記第１の無線周波数とは異なる第２の無線周波数で送信される請求項１４に記載の方法。
【請求項２５】
送信機が、受信機にデータを送信する無線通信リンク内で、
個別のフォーワード誤り訂正（ＦＥＣ）符号および変調方式を特定し、かつ前記送信機および前記受信機の両方から支援される使用可能な適応符号化・変調（ＡＣＭ）プロファイルのセットを使用し、一時的に、前記送信機および前記受信機内で使用可能なＡＣＭプロファイルの前記セット以外のＡＣＭプロファイルのサブセットを使用不可能にすること、および
使用不可能でない前記ＡＣＭプロファイルだけを選択して、前記送信機から前記受信機に前記データを可変のデータ転送速度で送信することを備えた通信方法。
【請求項２６】
一時的に前記ＡＣＭプロファイルの前記サブセットを使用不可能にすることは、タイム・スケジュールを特定すること、および、特定された前記タイム・スケジュールに従い前記サブセットを使用不可能にすることを含む請求項２５に記載の方法。
【請求項２７】
前記使用可能なＡＣＭプロファイルの前記セットは、前記送信機および前記受信機の外部メモリに格納され、前記使用可能なＡＣＭプロファイルのいくつかは、前記送信機および前記受信機の内部メモリ内にキャッシュとして格納され、および一時的に前記ＡＣＭプロファイルの前記サブセットを使用不可能にすることは、前記内部メモリ内にキャッシュされた前記ＡＣＭプロファイルのいくつかを使用不可能にすることを含む請求項２５に記載の方法。
【請求項２８】
前記ＡＣＭプロファイルの前記サブセットを一時的に使用不可能にすることは、
初期に使用不可能である使用可能なＡＣＭプロファイルを再設定するセットを規定すること、および
前記セット内のＡＣＭプロファイルを使用不可能にし、および前記再設定するセット内のＡＣＭプロファイルを使用可能にすることで、使用可能なＡＣＭプロファイルの前記セットから、使用可能なＡＣＭプロファイルの前記再設定するセットに切り替えることを含む請求項２５に記載の方法。
【請求項２９】
前記送信機が、前記送信機側で使用不可能でなく前記受信機側で使用不可能なＡＣＭプロファイルを選択するとき、前記送信機によって選択されたＡＣＭプロファイルを、一時的に前記受信機が使用することを許容する請求項２５に記載の方法。
【請求項３０】
前記通信リンクは、使用可能なＡＣＭプロファイルの前記セットを使用する、ポイント・トゥ・マルチポイントシステム内の複数の通信リンクの１つであり、
前記ＡＣＭプロファイルのサブセットを一時的に使用不可能にすることは、複数内の前記通信リンク内の前記ＡＣＭプロファイルの前記サブセットを使用不可能にすることを含み、および前記データを送信することは、前記複数内の前記通信リンク内で使用不可能でない前記ＡＣＭプロファイルだけを使用することを含む請求項２５に記載の方法。
【請求項３１】
前記無線通信リンクは、マイクロ波リンクまたはミリメートル波リンクの１つを含む請求項２５に記載の方法。
【請求項３２】
前記無線通信リンクは、双方向の時分割二重リンク（ＴＤＤ）を含む請求項２５に記載の方法。
【請求項３３】
前記無線通信リンクは、双方向の周波数二重リンク（ＦＤＤ）を含む請求項２５に記載の方法。
【請求項３４】
無線通信リンク上において、適応符号化・変調（ＡＣＭ）プロファイルの選択によって、可変のデータ転送速度で、第１および第２の通信システム間でデータを交換することであって、前記ＡＣＭプロファイルは、前記データを符号化および変調をするために、フォーワード誤り訂正（ＦＥＣ）符号および変調方式を規定し、および、指示メッセージを交換することで前記選択されたＡＣＭプロファイルを前記第１および第２の通信システム間で調整する、データを交換すること、
前記第１および第２の通信システムが、前記指示メッセージを交換することを期待されている時間間隔を特定する許可メッセージを、交換すること、および
前記許可メッセージ内で特定された時間間隔の間に受信されたときだけ、交換された前記指示メッセージを有効と評価することを備える通信方法。
【請求項３５】
前記許可メッセージは、前記時間間隔の開始を明らかにし、前記時間間隔の終了を明らかにする後続の不許可メッセージを交換することを含む請求項３４に記載の方法。
【請求項３６】
無線通信リンク上において、適応符号化・変調（ＡＣＭ）プロファイルの選択によって、可変のデータ転送速度で第１および第２の通信システム間でデータを交換することであって、前記ＡＣＭプロファイルは、前記データの符号化および変調をするためにフォーワード誤り訂正（ＦＥＣ）符号および変調方式を規定し、および指示メッセージを交換することで前記第１および第２の通信システム間で前記選択されたＡＣＭプロファイルを調整する、データを交換すること、
前記使用可能なＡＣＭプロファイルのペア間での適法な遷移のセットを規定すること、および
現在使用中のＡＣＭプロファイルから前記指示メッセージ内で指示された前記ＡＣＭプロファイルへの遷移が、前記適法な遷移のセットの１つを含むときだけ、前記指示メッセージを有効と評価することを備える通信方法。
【請求項３７】
無線通信リンク上において、適応符号化・変調（ＡＣＭ）を使用して、可変のデータ転送速度で、遠隔受信機にデータを送信するように構成された送信機と、
選択によって、前記データを送信する前記可変のデータ転送速度を設定するように構成されたコントローラであって、前記選択は、前記遠隔受信機からフィードバックされるフィードバック情報、および前記データを符号化および変調をするためにフォーワード誤り訂正（ＦＥＣ）符号および変調方式を規定するＡＣＭプロファイルに基づき、前記フィードバック情報が使用不可能であることが検出されたとき、前記フィードバックとは独立に、前記送信機の動作を変更させるように構成されたコントローラと、を備える通信システム。
【請求項３８】
前記フィードバック情報は、前記遠隔受信機によって評価される受信品質測定基準を含む請求項３７に記載のシステム。
【請求項３９】
前記受信品質測定基準は、受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）、フレーム誤り率（ＦＥＲ）、および前記遠隔受信機内の前記ＦＥＣの復号化処理で生成された測定基準を含む測定基準のグループから選択された、少なくとも１つの測定基準を含む請求項３７に記載のシステム。
【請求項４０】
前記コントローラは、現在選択されているＡＣＭプロファイルに対して改善されたリンク・バジェットを有するＡＣＭプロファイルに、前記送信機を切り替えるように構成された請求項３７に記載のシステム。
【請求項４１】
前記コントローラは、使用可能なＡＣＭプロファイルの所定のセットから、前記ＡＣＭプロファイルを選択するように構成され、および前記改善されたリンク・バジェットを有するＡＣＭプロファイルは、前記使用可能なＡＣＭプロファイルの間から最高のリンク・バジェットを有するＡＣＭプロファイルを含む請求項４０に記載のシステム。
【請求項４２】
前記コントローラは、使用可能なＡＣＭプロファイルの所定のセットから、前記ＡＣＭプロファイルを選択するように構成され、および前記改善されたリンク・バジェットを有するＡＣＭプロファイルは、前記使用可能なＡＣＭプロファイルの間から次に良いリンク・バジェットを有するＡＣＭプロファイルを含む請求項４０に記載のシステム。
【請求項４３】
前記コントローラは、徐々に改善されるリンク・バジェットを有するＡＣＭプロファイルに、前記送信機を段階的に切り替えるように構成された請求項４０に記載のシステム。
【請求項４４】
ＡＣＭを使用するフィードバック通信リンク上で、前記遠隔受信機からの前記フィードバック情報を受信するように構成されたフィードバック受信機を含み、
前記コントローラは、前記フィードバック通信リンク内で現在選択されたＡＣＭプロファイルに対して改善されたリンク・バジェットを有するＡＣＭプロファイルを使用して、前記遠隔受信機に前記フィードバック情報を送信するように、前記送信機を使用して要求することを送信するように構成された請求項３７に記載のシステム。
【請求項４５】
前記無線通信リンクは、マイクロ波リンクまたはミリメートル波リンクの１つを含む請求項３７に記載のシステム。
【請求項４６】
前記送信機は、第１の時間間隔において、前記遠隔受信機に前記データを送信するように構成され、および前記第１の時間間隔とはオーバーラップしない第２の時間間隔において、前記フィードバック情報を受信するように構成されたフィードバック受信機を含む請求項３７に記載のシステム。
【請求項４７】
前記送信機は、第１の無線周波数において、前記遠隔受信機に前記データを送信するように構成され、および前記第１の無線周波数とは異なる第２の無線周波数において、前記フィードバック情報を受信するように構成されたフィードバック受信機を含む請求項３７に記載のシステム。
【請求項４８】
前記通信リンクは、ポイント・トゥ・マルチポイントシステム内の複数の通信リンクの１つであり、前記コントローラは、前記フィードバック情報が使用不可能であることを検出し、および前記複数の通信リンク内の通信リンクの各々において、独立に前記送信機の動作を変更するように構成された請求項３７に記載のシステム。
【請求項４９】
前記通信リンクは、ポイント・トゥ・マルチポイントシステム内の複数の通信リンクの１つであり、前記コントローラは、前記通信リンクの１つ以上からの前記フィードバック情報が使用不可能であることを検出したとき、前記複数の通信リンクの通信リンク内において、連帯して前記送信機の動作を変更するように構成された請求項３７に記載のシステム。
【請求項５０】
第１および第２の対向する方向を有する双方向の無線通信リンクであって、
前記双方向の無線通信リンクは、個別の第１および第２の適応符号化・変調（ＡＣＭ）プロファイルで決定される第１および第２の可変のデータ転送速度で通信することで、前記第１および第２の方向の上でデータを交換するように構成された第１および第２の通信システムを含み、
各々のＡＣＭプロファイルは、前記データを符号化および変調をするためのフォーワード誤り訂正（ＦＥＣ）符号および変調方式を規定することで、前記第１および第２の方向の第１および第２の受信品質測定基準を個別に測定し、前記第１および第２の測定された受信品質測定基準に基づいて、前記第１および第２のＡＣＭプロファイルを設定し、この結果、前記第１および第２の方向の動作上で規定された接続制約と一致するように、前記第１および第２の方向の動作を生じさせる双方向の無線通信リンク。
【請求項５１】
前記第１および第２の通信システムは、個別のＦＥＣ符号および変調方式を規定する使用可能なＡＣＭプロファイルの所定セットから、前記第１および第２のＡＣＭプロファイルを選択するように構成された請求項５０に記載のリンク。
【請求項５２】
前記受信品質測定基準は、受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）、フレーム誤り率（ＦＥＲ）、および前記ＦＥＣの復号化処理で生成された測定基準を含む測定基準タイプのグループから選択された、少なくとも１つの測定基準タイプを含む請求項５０に記載のリンク。
【請求項５３】
前記接続制約は、前記第１のＡＣＭプロファイルが前記第２のＡＣＭプロファイルに等しくなることを特定する請求項５０に記載のリンク。
【請求項５４】
前記接続制約は、前記通信リンクの前記第１および前記第２の方向が共に所定の品質サービスの（Ｑ〇Ｓ）レベルに一致することを特定する請求項５０に記載のリンク。
【請求項５５】
前記第１の通信システムは、前記第１および第２のＡＣＭプロファイルを選択し、前記選択されたＡＣＭプロファイルが一致するように前記第２の通信システムを指示するように構成された請求項５０に記載のリンク。
【請求項５６】
前記第１の通信システムは、前記第１のＡＣＭプロファイルを選択するように構成され、前記第２の通信システムは、前記第１の通信システムで選択された前記第１のＡＣＭプロファイルを検出し、前記接続制約と一致するように、前記第１のＡＣＭプロファイルに応答可能な前記第２のＡＣＭプロファイルを選択するように構成された請求項５０に記載のリンク。
【請求項５７】
前記通信リンクは、ポイント・トゥ・マルチポイントシステム内の複数の双方向の通信リンクの１つであって、前記接続制約は、前記複数の通信リンク内の前記第１および第２の方向の動作で規定され、前記通信システムの１つは、前記複数の通信リンク内の前記第１および第２の方向のＡＣＭプロファイルを設定され、前記接続制約と一致するように構成された請求項５０に記載のリンク。
【請求項５８】
前記無線通信リンクは、マイクロ波リンクまたはミリメートル波リンクの１つを含む請求項５０に記載のリンク。
【請求項５９】
前記第１および第２の通信システムは、第１の時間間隔において、通信リンクの前記第１の方向で前記データを交換し、および前記第１の時間間隔とオーバーラップしない第２の時間間隔において、通信リンクの前記第２の方向で前記データを交換するように構成された請求項５０に記載のリンク。
【請求項６０】
前記第１および第２の通信システムは、第１の無線周波数において、通信リンクの前記第１の方向で前記データを交換し、および前記第１の無線周波数と異なる第２の無線周波数において、通信リンクの前記第２の方向で前記データを交換するように構成された請求項５０に記載のリンク。
【請求項６１】
無線チャネル上でデータを送信するように構成された送信機、および送信された前記データを受信するように構成された受信機を含む通信リンクであって、
前記送信機および前記受信機は、前記データを符号化および変調するために前記送信機および前記受信機の両方によって支援される、個別のフォーワード誤り訂正（ＦＥＣ）符号および変調方式を特定する使用可能な適応符号化・変調（ＡＣＭ）プロファイルのセットの規定を受諾し、前記使用可能なＡＣＭプロファイルのセット以外のＡＣＭプロファイルの任意のサブセットを一時的に使用不可能にし、および使用不可能でない前記ＡＣＭプロファイルだけを選択することで可変のデータ転送速度で通信するように構成された通信リンク。
【請求項６２】
前記送信機および前記受信機は、所定のタイム・スケジュールにしたがい前記ＡＣＭプロファイルのサブセットを使用不可能にするように構成された請求項６１に記載の通信リンク。
【請求項６３】
前記使用可能なＡＣＭプロファイルのセットは、前記送信機および前記受信機の外部メモリ内に格納され、前記使用可能なＡＣＭプロファイルのいくつかは、前記送信機および前記受信機の内部メモリ内にキャッシュとして格納され、前記送信機および前記受信機は、前記内部メモリ内にキャッシュされた前記ＡＣＭプロファイルのいくつかを使用不可能にするように構成された請求項６１に記載の通信リンク。
【請求項６４】
前記送信機および前記受信機は、初期に使用不可能であった、使用可能なＡＣＭプロファイルを再設定するセットの規定を受諾し、および、前記セット内のＡＣＭプロファイルを使用不可能にし、かつ前記再設定されたセット内のＡＣＭプロファイルを使用可能にすることで、使用可能なＡＣＭプロファイルの前記セットから使用可能なＡＣＭプロファイルの前記再設定されたセットに切り替えるように構成された請求項６１に記載の通信リンク。
【請求項６５】
前記送信機が、前記送信機では使用不可能ではないが、前記受信機では使用不可能なＡＣＭプロファイルを選択したとき、前記受信機は、前記送信機によって選択された前記ＡＣＭプロファイルを一時的に使用することを許容されるように構成された請求項６１に記載の通信リンク。
【請求項６６】
前記通信リンクは、前記使用可能なＡＣＭプロファイルの前記セットを使用する、ポイント・トゥ・マルチポイントシステム内の複数の通信リンクの１つであり、前記送信機および前記受信機は、前記複数内の前記通信リンク内の前記ＡＣＭプロファイルのサブセットを一時的に使用不可能にし、および前記複数内の前記通信リンク内で使用不可能でない前記ＡＣＭプロファイルだけを使用して通信するように構成された請求項６１に記載の通信リンク。
【請求項６７】
前記無線通信リンクは、マイクロ波リンクまたはミリメートル波リンクの１つを含む請求項６１に記載のリンク。
【請求項６８】
前記無線通信リンクは、双方向の時分割二重リンク（ＴＤＤ）を含む請求項６１に記載のリンク。
【請求項６９】
前記無線通信リンクは、双方向の周波数二重リンク（ＦＤＤ）を含む請求項６１に記載のリンク。
【請求項７０】
無線通信リンク上において、適応符号化・変調（ＡＣＭ）プロファイルの選択によって可変のデータ転送速度で、データを送信するように構成された第１の通信システムであって、前記ＡＣＭプロファイルは、前記データを符号化および変調をするために、フォーワード誤り訂正（ＦＥＣ）符号および変調方式を規定する、第１の通信システムと、
前記データを受信するように構成された第２の通信システムとを備え、
前記第１の通信システムおよび前記第２の通信システムは、指示メッセージを交換することで、選択されたＡＣＭプロファイルを調整し、前記第１の通信システムおよび前記第２の通信システムが指示メッセージを交換することが期待されている時間間隔を特定する、許可メッセージを交換し、および、前記許可メッセージ内に特定された時間間隔の間に受信されたときだけ、前記交換された指示メッセージを有効と評価するように構成された通信リンク。
【請求項７１】
前記許可メッセージは、前記時間間隔の開始を明らかにし、前記第１および第２の通信システムは、前記時間間隔の終了を明らかにする不許可メッセージを交換するように構成される請求項７０に記載のリンク。
【請求項７２】
無線通信リンク上において、適応符号化・変調（ＡＣＭ）プロファイルの選択によって可変のデータ転送速度で、データを送信するように構成された第１の通信システムであって、前記ＡＣＭプロファイルは、前記データを符号化および変調をするために、フォーワード誤り訂正（ＦＥＣ）符号および変調方式を規定する、第１の通信システムと、
前記データを受信するように構成された第２の通信システムとを備え、
前記第１の通信システムおよび前記第２の通信システムは、指示メッセージを交換することで、選択された前記ＡＣＭプロファイルを調整し、前記使用可能なＡＣＭプロファイルのペア間での適法な遷移のセットの規定を受諾し、および、現在使用中のＡＣＭプロファイルから前記指示メッセージ内で指示されたＡＣＭプロファイルへの遷移が、前記適法な遷移の１つを含むときだけ、前記指示メッセージを有効と評価するように構成された通信リンク。
【発明の詳細な説明】
【技術分野】
【０００１】
本発明は、一般的には通信システムに関連し、詳細に言えば、転送速度可変な通信リンクを管理するための方法とシステムに関する。
【背景技術】
【０００２】
種々の通信システム、たとえばマイクロ波リンクの通信システムでは、可変のデータ転送速度で、データを送信する。例えば、米国特許出願公報2005/0075078号は、ポイントーポイントのマイクロ波の無線リンクにより、信号を送信する方法を記載している。その公開内容は、参照として本明細書に取り込まれている。無線リンク上の効率を向上させるために、送信されるパケットは、各パケットに対して指定されたサービス品質のパラメータに基づき送信前に分類される。信号は、実時間の適応変調を使用することで、送信前に変調される。上記変調は、現時点でのトラフィック量、無線リンク上の伝搬条件として示される信号品質測定、および信号内に含まれるパケットの分類に基づいて、適用される。
【０００３】
米国特許出願公報2006/0209939号は、チャネル上で、受信機にデータ・ブロックを送信するのに使用されるブロック・フォーマットを決定するための方法、システム、および装置を記載している。その公開内容は、参照として本明細書に取り込まれている。上記に記載の方法は、一連の受信品質測定を収集すること、受信品質の変化率または再送信要求がなされたときの受信品質の変化率を決定すること、および、変化率の大きさまたは再送信要求の率に依存すること、時系列な測定での受信品質測定の最下部を平均化すること、そして上記平均値に基づきブロック・フォーマットを決定すること、または最新の受信品質測定にブロック・フォーマットを決定することが含まれる。
【０００４】
別の例として、公開内容を参照として本明細書に引用している、ＰＣＴ公開番号2004/086668号のパンフレットには、可変のリンク品質を有する無線リンク内でデータを送信および受信する方法が記載されている。この方法は、少なくともリンク品質の指示に使用するのに適切な集合を選択すること、および選択された集合を使用するデータを符号化することで、データを送信および受信を実施する。
【発明の開示】
【課題を解決するための手段】
【０００５】
本発明の実施態様は、以下を含む通信方法を提示する。提示する方法は、
無線通信リンク上で、送信機から受信機に、適応符号化・変調（ＡＣＭ：Adaptive Coding and Modulation）を使用して、可変のデータ転送速度でデータを送信すること、
上記受信機から上記送信機にフィードバックされるフィードバック情報と、上記データの符号化および変調のためにフォーワード誤り訂正（ＦＥＣ：Forward Error Correction）符号および変調方式を規定するＡＣＭプロファイルと、に基づく選択によって、上記データを送信する上記可変のデータ転送速度を設定すること、および
上記フィードバック情報が使用不可能であることを検出したとき、上記フィードバックとは独立に上記送信機の動作を変更させることを備える。
【０００６】
いくつかの実施態様において、フィードバック情報は、受信機によって評価される受信品質測定基準を含む。この受信品質測定基準は、受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）、フレーム誤り率（ＦＥＲ）、および上記ＦＥＣの復号化処理で生成された測定基準を含む測定基準のグループから選択された、少なくとも１つの測定基準を含むことが可能である。
【０００７】
別の実施態様において、送信機の動作を変更することは、現在選択されているＡＣＭに対して改善されたリンク・バジェット（Link budget）を規定するＦＥＣ符号および変調方式のＡＣＭプロファイルに切り替えること含む。データ転送速度を設定することは、使用可能なＡＣＭプロファイルの所定のセットからＡＣＭプロファイルを選択することを含み、上記改善されたリンク・バジェットを有するＡＣＭプロファイルは、上記使用可能なＡＣＭプロファイルの間で、最も高いリンク・バジェットを有するＡＣＭプロファイルを含む。代替の実施態様において、上記改善されたリンク・バジェットを有するＡＣＭプロファイルは、上記使用可能なＡＣＭプロファイルの間で、次に高いリンク・バジェットを有するＡＣＭプロファイルを含む。更に代替の実施態様において、上記改善されたリンク・バジェットを有するＡＣＭプロファイルに切り替えることは、徐々に改善されるリンク・バジェットを有するＡＣＭプロファイルに、段階的に切り替えること含む。
【０００８】
提示された実施態様において、データ転送速度を設定することは、ＡＣＭを使用するフィードバック通信リンク上で、受信機から送信機へのフィードバック情報を送信することを含み、上記送信機の動作を変更することは、フィードバック通信リンク内で現在選択されているＡＣＭに対して改善されたリンク・バジェットを有するＡＣＭプロファイルを使用して、上記送信機にフィードバック情報を送信するように上記受信機へ要求を送信することを含む。
【０００９】
無線通信リンクは、マイクロ波リンクまたはミリメートル波リンクの１つを含む。別の実施態様において、上記データは、第１の時間間隔において、上記送信機から上記受信機に送信され、上記フィードバック情報は、第１の時間間隔とはオーバーラップしない第２の時間間隔において、上記受信機から上記送信機にフィードバックされる。更に別の実施態様において、上記データは、上記送信機から上記受信機に、第１の無線周波数において送信され、上記フィードバック情報は、上記受信機から上記送信機に、第１の無線周波数とは異なる第２の無線周波数においてフィードバックされる。
【００１０】
いくつかの実施態様において、上記通信リンクは、ポイント・トゥ・マルチポイント（point-to-multipoint）システム内の複数の通信リンクの１つであり、フィードバック情報が使用不可能であることを検出すること、および上記送信機の動作を変更することは、上記複数の通信リンク内の通信リンクの各々において独立に実行される。代替の方法として、１つ以上の通信リンクからのフィードバック情報が使用不可能であることを検出したとき、前記送信機の動作を変更することは、前記複数の通信リンクにおいて、連帯して実行される。
【００１１】
また、本発明に関連して１つの実施態様の通信方法が提示される。提示される方法は、
適応符号化・変調（ＡＣＭ）を使用する双方向の無線通信リンクの第１および第２の対向する方向の上で、第１および第２の個別のＡＣＭプロファイルで決定される第１および第２の個別の可変のデータ転送速度で通信することによって、第１および第２の通信システムの間でデータを交換することであって、上記個別のＡＣＭプロファイルが、上記データを符号化および変調するために、フォーワード誤り訂正（ＦＥＣ）符号および変調方式を規定している、データを交換すること、
上記第１および第２の方向の動作上の接続制約を規定すること、
上記第１および第２の方向の通信リンクの上記第１および第２の受信品質測定基準を、各々測定すること、および
上記第１および第２の方向の動作が、上記接続制約と一致するように、上記第１および第２の受信品質測定基準に基づいて、第１および第２のＡＣＭプロファイルを設定することを備える。
【００１２】
１つの実施態様において、上記第１および第２の可変のデータ転送速度で通信することは、個別のＦＥＣ符号および変調方式を規定する使用可能なＡＣＭプロフィルの所定のセットから、上記第１および第２のＡＣＭプロフィルを選択することを含む。上記受信品質測定基準は、受信信号レベル（ＲＳＬ）、信号対雑音比（ＳＮＲ）、信号対干渉雑音比（ＳＩＮＲ）平均二乗誤差（ＭＳＥ）、ビット誤り率（ＢＥＲ）、フレーム誤り率（ＦＥＲ）、および上記ＦＥＣの復号化処理で生成された測定基準を含む測定基準タイプのグループから選択された、少なくとも１つの測定基準タイプを含むことが可能である。
【００１３】
提示した実施態様において、上記接続制約は、上記第１のＡＣＭプロファイルが、上記第２のＡＣＭプロファイルと等しいことを特定する。代替案として、上記接続制約は、上記通信リンクの上記第１および上記第２の方向が共に所定の品質サービスの（Ｑ〇Ｓ）レベルに一致することを特定することも可能である。
【００１４】
別の実施態様において、上記第１および第２のＡＣＭプロファイルを設定することは、上記第１の通信システムによって前記第１および第２のＡＣＭプロファイルを選択すること、および、上記選択されたＡＣＭプロファイルを設定するために、上記第１の通信システムによって上記第２の通信システムを指示することを含む。代替案において、上記第１および第２のＡＣＭプロファイルを設定することは、上記第１の通信システムによって上記第１のＡＣＭプロファイルを選択すること、上記第２の通信システムによって上記選択されたＡＣＭプロファイル第１の通信システムを検出すること、および、上記第２の通信システムによって、上記第１のＡＣＭプロファイルに対して応答可能な上記第２のＡＣＭプロファイルを、上記接続制約と一致させるように選択することを含む。
【００１５】
更なる別の実施態様において、上記通信リンクは、ポイント・トゥ・マルチポイントシステム内の複数の双方向の通信リンクの１つであり、上記接続制約は、上記複数内の通信リンクの第１および第２方向の動作上で規定され、ＡＣＭプロファイルを設定することは、上記複数内の通信リンクの第１および第２方向のＡＣＭプロファイルを、上記接続制約に一致するように設定することを含む。
【００１６】
上記無線通信リンクは、マイクロ波リンクまたはミリメートル波リンクの１つを含むことが可能である。いくつかの実施態様において、上記通信リンクの第１の方向で交換されるデータは、第１の時間間隔において送信され、上記通信リンクの第２の方向で交換されるデータは、第１の時間間隔とはオーバーラップしない第２の時間間隔において送信される。追加案または代替案として、上記通信リンクの第１の方向で交換されるデータは、第１の周波数で送信され、上記通信リンクの第２の方向で交換されるデータは、第１の周波数とは異なる第２の周波数で送信される。
【００１７】
更に、本発明に関連して１つの実施態様の通信方法が提示される。提示される方法は、
送信機が、受信機にデータを送信する無線通信リンク内で、個別のフォーワード誤り訂正（ＦＥＣ）符号および変調方式を特定し、かつ上記送信機および上記受信機の両方から支援される使用可能な適応符号化・変調（ＡＣＭ）プロファイルのセットを使用し、一時的に、上記送信機および上記受信機内の前記使用可能なＡＣＭプロファイルのセット以外のＡＣＭプロファイルのサブセットを使用不可能にすること、および
上記送信機から上記受信機に、使用不可能でない上記ＡＣＭプロファイルだけを選択して、上記データを可変データ転送速度で送信することを備える。
【００１８】
いくつかの実施態様において、一時的にＡＣＭプロファイルの上記サブセットを使用不可能にすることは、タイム・スケジュールを特定すること、および、特定されたタイム・スケジュールに従い、上記サブセットを使用不可能にすることを含む。別の実施態様において、上記使用可能なＡＣＭプロファイルのセットは、上記送信機および上記受信機の外部メモリに格納され、上記使用可能なＡＣＭプロファイルのセットのいくつかは、上記送信機および上記受信機の内部メモリ内にキャッシュされ、かつ、一時的にＡＣＭプロファイルの上記サブセットを使用不可能にすることは、上記内部メモリ内にキャッシュされたＡＣＭプロファイルのいくつかを使用不可能にすることを含む。
【００１９】
提示された実施態様において、一時的にＡＣＭプロファイルの上記サブセットを使用不可能にすることは、
初期に使用不可能である使用可能なＡＣＭプロファイルを再設定するセットを規定すること、および
上記セット内のＡＣＭプロファイルを使用不可能にし、かつ上記再設定するセット内のＡＣＭプロファイルを使用可能にすることで、使用可能なＡＣＭプロファイルの上記セットから使用可能なＡＣＭプロファイルの上記再設定するセットに、切り替えることを含む。
【００２０】
他の実施態様において、上記送信機が、送信機側で使用不可能でなく、受信機側で使用不可能なＡＣＭプロファイルを選択するとき、上記受信機は、上記送信機によって選択されたＡＣＭプロファイルを一時的に使用することを許容される。
【００２１】
更に別の実施態様において、上記通信リンクは、使用可能なＡＣＭプロファイルのセットを使用する、ポイント・トゥ・マルチポイントシステム内の複数の通信リンクの１つであり、上記ＡＣＭプロファイルのサブセットを一時的に使用不可能にすることは、複数内の上記通信リンク内の上記ＡＣＭプロファイルのサブセットを使用不可能にすることを含み、上記データを送信することは、上記複数内の上記通信リンク内で使用不可能でない上記ＡＣＭプロファイルだけを使用することを含む。
【００２２】
１つの実施態様において、上記無線通信リンクは、マイクロ波リンクまたはミリメートル波リンクの１つを含む。別の実施態様において、上記無線通信リンクは、双方向の時分割二重リンク（ＴＤＤ）を含む。更なる別の実施態様において、上記無線通信リンクは、双方向の周波数二重リンク（ＦＤＤ）を含む。
【００２３】
更に、本発明に関連して１つの実施態様の通信方法が提示される。提示される方法は、
無線通信リンク上において、適応符号化・変調（ＡＣＭ）プロファイルの選択によって可変のデータ転送速度で、第１および第２の通信システム間でデータを交換することであって、上記ＡＣＭプロファイルは、上記データを符号化および変調をするためにフォーワード誤り訂正（ＦＥＣ）符号および変調方式を規定し、および指示メッセージを交換することで、選択されたＡＣＭプロファイルを第１および第２の通信システム間で調整する、データを交換すること、
上記第１および第２の通信システムが指示メッセージを交換することを期待されている時間間隔を特定する、許可メッセージを交換すること、および
交換された上記指示メッセージは、上記許可メッセージ内で特定された時間間隔の間に受信されたときだけ有効と評価することを備える。
【００２４】
いくつかの実施態様において、許可メッセージは、前記時間間隔の開始を明らかにし、上記方法は、前記時間間隔の終了を明らかにする後続の不許可メッセージを交換することを含む。
【００２５】
また、本発明に関連して１つの実施態様の通信方法が提示される。提示される方法は、  無線通信リンク上において、適応符号化・変調（ＡＣＭ）プロファイルの選択によって可変のデータ転送速度で、第１および第２の通信システム間でデータを交換することであって、上記ＡＣＭプロファイルは、上記データを符号化および変調をするために、フォーワード誤り訂正（ＦＥＣ）符号および変調方式を規定し、および指示メッセージを交換することで、選択されたＡＣＭプロファイルを第１および第２の通信システム間で調整する、データを交換すること、
使用可能なＡＣＭプロファイルのペア間での適法な遷移のセットを規定すること、および、現在使用中のＡＣＭプロファイルから上記指示なメッセージ内で指示されたＡＣＭプロファイルへの遷移が、上記適法な遷移の中の１つを含むときだけ、上記指示メッセージを有効と評価することを備える。
【００２６】
加えて、本発明に関連して１つの実施態様の通信システムが提示される。提示される通信システムは、
無線通信リンク上において、適応符号化・変調（ＡＣＭ）を使用して、可変のデータ転送速度で、遠隔受信機にでデータを送信するように構成された送信機と、
選択によって、上記データを送信する上記可変のデータ転送速度を設定するように構成されたコントローラであって、上記選択は、上記遠隔受信機からフィードバックされるフィードバック情報、フォーワード誤り訂正（ＦＥＣ）符号を規定するＡＣＭプロファイル、および前記データを符号化および変調をするため、変調方式に基づき、前記フィードバック情報が使用不可能であることが検出されたとき、前記フィードバックとは独立に、前記送信機の動作を変更させるように構成されたコントローラと、を備える。
【００２７】
本発明の１つの実施態様に関連して、第１および第２の対向する双方向の無線通信リンクが提示され、提示される通信リンクは、
上記双方向の無線通信リンクは、個別の第１および第２の適応符号化・変調（ＡＣＭ）プロファイルで決定される第１および第２の可変のデータ転送速度で通信することで、第１および第２との方向の上でデータを交換するように構成された第１および第２の通信システムを含み、各々のＡＣＭプロファイルは、上記データを符号化および変調をするために、フォーワード誤り訂正（ＦＥＣ）符号および変調方式を規定することで、上記第１および第２の方向の第１および第２の受信品質測定基準を個別に測定し、上記第１および第２の測定された受信品質測定基準に基づいて、上記第１および第２のＡＣＭプロファイルを設定し、この結果、上記第１および第２の方向の動作上で規定された接続制約と一致するように、上記第１および第２の方向の動作を生じさせる。
【００２８】
また、本発明の１つの実施態様に関連して通信リンクが提案され、提示される通信リンクは、
無線チャネル上でデータを送信するように構成された送信機、および送信された上記データを受信するように構成された受信機を含み、
前記送信機および前記受信機は、上記送信機および上記受信機の両方によって、上記データを符号化・変調するために支援される、個別のフォーワード誤り訂正（ＦＥＣ）符号および変調方式を特定する使用可能な適応符号化・変調（ＡＣＭ）プロファイルのセットの規定を受諾し、上記ＡＣＭプロファイルのセットは、上記使用可能なＡＣＭプロファイルのセット以外のＡＣＭプロファイルの任意のサブセットを一時的に使用不可能にし、および使用不可能でない上記ＡＣＭプロファイルだけを選択することで可変のデータ転送速度で通信できるように構成される。
【００２９】
更に、本発明の１つの実施態様に関連して通信リンクが提案され、提示される通信リンクは、
無線通信リンク上において、適応符号化・変調（ＡＣＭ）プロファイルの選択によって、可変のデータ転送速度で、データを送信するように構成された第１の通信システムであって、上記ＡＣＭプロファイルは、上記データを符号化および変調をするために、フォーワード誤り訂正（ＦＥＣ）符号および変調方式を規定する、第１の通信システムと、
上記データを受信するように構成された第２の通信システムとを備え、
上記第１の通信システムおよび上記第２の通信システムは、指示メッセージを交換することで、選択されたＡＣＭプロファイルを調整し、上記第１の通信システムおよび上記第２の通信システムが指示メッセージを交換することを期待されている時間間隔を特定する、許可メッセージを交換し、および、上記交換された指示メッセージは、上記許可メッセージ内で特定された時間間隔の間に受信されたときだけ、有効と評価するように構成される。
【００３０】
また、本発明の１つの実施態様に関連して通信リンクが提案され、提示される通信リンクは、
無線通信リンク上において、適応符号化・変調（ＡＣＭ）プロファイルの選択によって可変のデータ転送速度で、データを送信するように構成された第１の通信システムであって、上記ＡＣＭプロファイルは、上記データを符号化および変調をするために、フォーワード誤り訂正（ＦＥＣ）符号および変調方式を規定する、第１の通信システムと、
上記データを受信するように構成された第２の通信システムとを備え、
上記第１の通信システムおよび上記第２の通信システムは、指示メッセージを交換することで、選択されたＡＣＭプロファイルを調整し、上記使用可能なＡＣＭプロファイルのペア間での適法な遷移のセットの規定を受諾し、および、現在使用中のＡＣＭプロファイルから上記指示メッセージ内で指示されたＡＣＭプロファイルへの遷移が、上記適法な遷移の中の１つを含む時だけ、上記指示メッセージを有効と評価するように構成される。
【００３１】
本発明は、以降に記載される実施態様の詳細な説明および添付図面により、より充分に理解されることであろう。
【発明を実施するための最良の形態】
【００３２】
・概説
本発明の種々の態様は、可変のデータ転送速度な通信リンクを制御および管理するための改善された方法およびシステムを提供する。この通信リンクは、たとえば適応符号化・変調（ＡＣＭ）を使用するようなリンクである。一般的に、通信リンクで使用されるデータ転送速度は、フィードバックに基づいて決定および設定される。例えば、受信品質の測定は、受信機側で生成され、送信機側にフィードバックされる。
【００３３】
いくつかの実施計画（scenario）において、受信機側からのフィードバックが、使用不可能である可能性がある。用語「使用不可能なフィードバック」は、フィードバックが、データ転送速度を選択するための有効な指示として送信機側によって使用不可能であるときの種々の実施計画を説明するのに広く使用されている。例えば、フィードバックは、チャネル状態の劣化、機能低下、または設備故障が原因で、送信機側にフィードバックされない可能性がある。別の実施計画においても、フィードバックが、エラーを含む可能性があるか、さもなければ歪められている。いくつかの実施態様において、受信機からのフィードバックが使用不可能なことを検出したとき、送信機は、所定のオープン・ループ方策を実行する。いくつかの典型的な方策が、本明細書の以下に記載される。
【００３４】
ここに記載する別の実施態様において、双方向の通信リンクの２方向のデータ転送速度は、連帯して決定され、接続制約が与えられる。この接続制約は、たとえば２方向のデータ転送速度間での明確な通信、または両方のリンク方向で一致する品質サービス（ＱOＳ）レベルを特定することが可能である。一般的に、通信リンクは、２つのリンクの終端での受信品質を考慮し、上記接続制約を充足するように２つの受信品質測定基準を基づいて両方向のデータ転送速度を決定する。
【００３５】
通信リンクにおいて使用されるデータ転送速度は、一般的に、使用可能なデータ転送速度の所定のセットから選択される。以下で説明する、いくつかの状況において、データ転送速度の選択を、使用可能なデータ転送速度値の部分的サブセットに、一時的に制限することが好都合なことがある。いくつかの実施態様において、通信リンクは、使用可能なデータ転送速度値のいくつかを一時的に使用不可能にし、データ転送速度が、使用可能な値の任意のサブセットだけから選択できるようにする。使用可能な値または使用不可能な値の識別は、送信機および受信機の間で調整される。この調整で許容される不一致のための方法については、また説明する。
【００３６】
この後で説明する他の方法およびシステムは、送信機および受信機との間で情報交換されるＡＣＭ変更メッセージの信頼性を向上させる。
【００３７】
ここで説明する方法およびシステムは、無線通信リンクの異なったタイプにも使用することができ、たとえばポイント・トゥ・マルチポイントのアプリケーションを含む通信リンクにも使用することができる。
【００３８】
・システムの説明
図１は、本発明の１つの実施態様における可変の転送速度のリンク２０を、概略的に説明するブロック図である。リンク２０は、２つの通信システム２４を備える。一方にある通信システムが、無線チャネル上で反対側の通信システムにデータを送信する。また、通信システム２４は、リンクの終端とも呼ばれる。いくつかの実施態様において、リンク２０は、ポイント・トゥ・ポイント（point-to-point）のマイクロ波リンクまたはミリメートル波リンクを含む。代替として、リンク２０は、他の適用可能などのような無線リンクも含むことが可能であり、たとえば衛星リンクも可能である。ここで説明する方法のいくつかは、ポイント・トゥ・マルチポイントの通信システムにも適用可能であり、以下で同様に説明することになるであろう。
【００３９】
リンク２０は、双方向のリンクで、各システム２４は、送信機および受信機として機能する。いくつかの実施態様において、リンク２０は、時分割二重（ＴＤＤ）リンクを含む。ＴＤＤリンクにおいて、２つの対向するリンク方向は、所定の時分割プロトコルに従って、オーバーラップしない時間間隔で交互に送信する。代替の実施態様において、リンク２０は、周波数分割二重（ＦＤＤ）リンクを含む。これらの実施態様において、システム２４は、同時に送信および受信を行い、各々のリンク方向は、分離された指定無線周波数を有する。更なる代替において、リンク２０は、２つのリンク方向を二重化するのに適した、別のどのような方法も使用することができる。
【００４０】
典型的な流れにおいて、データは、送信機（システム２４の一方）に入り、フレーマー/デフレーマー（framer/deframer）２８によって、分割された後にデータフレームの順番にフォーマット化される。フレームは、一般的に、ユーザのデータに加えて、管理および配置に関連する情報を含む。データフレームは、可変の転送速度のモデム３２によって処理される。モデムは、適したフォーワード誤り訂正（ＦＥＣ）符号を使用して、各データフレーム内のデータを符合化し、適切な変調方式を使用して符号化されたデータを変調する。モデムは、所定のデータ転送速度を有する、変調された記号の順序化を生成する。
【００４１】
モデム３２は、適応符号化・変調（ＡＣＭ）を使用して、リンクのデータ転送速度を変化させる。ＡＣＭプロファイル内において、ＦＥＣの符号化レート、および変調のために使用される信号配列は、要求されるデータ転送速度を生成するために連帯して選択される。符号化レートおよび信号配列の各々の組合せを、ここではＡＣＭプロファイルと呼ぶ。一般的に、ＡＣＭプロファイルの２つ以上のセットは、事前に規定される。適切なＡＣＭプロファイルが、選択され、送信機と受信機との間で調整される。
【００４２】
一般的に、各データフレーム内のデータは、特定のＡＣＭプロファイルを使用して処理される。いくつかの実施態様において、特定のデータフレーム内で使用されるＡＣＭプロファイルに関する指示が、管理情報として送信機によってフレーム内に挿入されることで、この結果、受信機が、適切なＡＣＭプロファイルを使用して、データフレームを復調化および復号化することができるようになる。代替案として、各データフレームが、次のフレームまたは今後の別のフレームで使用するＡＣＭプロファイルに関する指示を含むことも可能である。
【００４３】
送信機内のモデム３２によって生成された、変調された記号の列は、デジタル・アナログ変換器（ＤＡＣ）３６の使用によりアナログ信号に変換され、そして無線周波数（ＲＦ）ユニット４０に供給される。ＲＦユニットは、上記アナログ信号を適切なＲＦ周波数にアップ・コンバートし、同時に上記信号のフィルター処理および増幅処理も実施する。ユニット４０によって生成されたＲＦ信号は、パワーアンプ（ＰＡ）４４によって増幅される。高出力のＲＦ信号は、デュープレクサー４８経由してアンテナ５２に供給され、アンテナは、受信機に向けて無線チャネル上で上記ＲＦ信号を送信する。
【００４４】
受信機（リンクの反対側にあるシステム２４）において、ＲＦ信号は、アンテナ５２によって受信され、デュープレクサー４８経由してＲＦユニット４０に供給される。ＲＦユニット４０は、受信したＲＦ信号を適切な中間周波数（ＩＦ）またはベースバンド信号にダウンコンバートし、さらに増幅処理およびフィルター処理を適用する。ＲＦユニット４０の出力におけるアナログ信号は、アナログ・デジタル変換器（ＡＤＣ）５６によってデジタル化される。
【００４５】
サンプリングされた信号は、受信機のモデム３２に供給される。モデム３２は、使用されている変調方式にしたがい、変調された信号を復調し、そしてＦＥＣを復号化する。受信機側のモデムは、送信機と受信機との間で調整されて現在使用中のＡＣＭプロファイル内に特定されている、変調方式およびＦＥＣ符号を使用する。こうして、モデム３２は、送信機内のフレーマー/デフレーマー２８によって生成されたデータフレームを再構築する。受信機内のフレーマー/デフレーマー２８は、再構築されたデータフレームから、ユーザのデータを取り出し、出力する。
【００４６】
各システム２４は、システムの処理を制御および管理するコントローラ６０を含む。一般的に、コントローラ６０は、汎用プロセッサを含み、このプロセッサには、本明細書内で説明する機能を実行するソフトウェアがプログラム化されている。このプログラムは、ネットワークまたは無線リンクのような電子的形態で、プロセッサにダウンロードすることが可能であり、または代替方法として、ＣＤ−ＲＯＭのような有形的表現媒体でプロセッサに供給することも可能である。
【００４７】
適切なＡＣＭプロファイルを選択することは、一般的に受信機側の受信品質測定基準に基づく。受信品質測定基準に基づき、送信機側および受信機側のコントローラ６０は、モデム３２およびフレーマー/デフレーマー２８に、適切なＡＣＭプロファイルが適用できるように設定する。
【００４８】
いくつかの実施態様において、受信機側のモデム３２及び/又はコントローラ６０は、受信品質を測定し、測定した品質（または得られたＡＣＭプロファイル）を送信機へのフィードバック情報として報告する。受信機は、対向するリンク方向のデータフレームにフィードバック情報を挿入することで、送信機にフィードバック情報を送信することができる。
【００４９】
受信品質測定およびＡＣＭプロファイル選択の機能は、種々の方法によって送信機側と受信機側との間で分割することができる。例えば、受信機は、受信品質を測定し、適切なＡＣＭプロファイルを選択し、そして選択したＡＣＭプロファイルを送信機に示すことが可能である。代替の実施態様において、受信機は、測定した受信品質を報告し、送信機は、報告にしたがいＡＣＭプロファイルを選択する。
【００５０】
受信機は、受信品質を測定しかつ評価するために、適切などのような品質基準も使用することが可能である。受信品質測定基準には、たとえば受信信号に関する、受信信号レベル（ＲＳＬ）、信号対雑音比（ＳＮＲ）、信号対干渉雑音比（ＳＩＮＲ）、または平均二乗誤差（ＭＳＥ）を含むことが可能である。代替として、受信品質測定基準には、ＦＥＣ符号によるエラー修正前または修正後のいずれにおいても、受信信号のビット誤り率（ＢＥＲ）またはフレーム誤り率（ＦＥＲ）を含むことが可能である。
【００５１】
いくつかの実施態様において、データ生成基準を符号化のために使用するＦＥＣ符号は、リンクの受信品質を評価するための品質基準として使用することができる。例えば、ＦＥＣ符号は、反復符号を含むことが可能であり、このような符号には、低密度パリティ検査（ＬＤＰＣ：Low Density Parity Check）符号、またはターボ符号があり、当業者には周知である。反復符号の復号器は、尤度比（ＬＲ）または対数尤度比（ＬＬＲ）のような基準を、たびたび生成し、生成された尤度比は、受信品質測定基準として使用することができる。
【００５２】
いくつかのＦＥＣ符号用復号器、特にブロック符号用復号器は、復号化性能すなわち成功具合を示す測定基準を生成する。例えば、ブロック符号用復号器は、復号化されたブロックが、エラーを含むか否かを示すことが度々あり、すなわち適法な符号語（code word）が検出されたか否かを示すことが度々ある。また、復号器は、特定のブロック内で検出されたエラーの数を示すことが可能である。このようなＦＥＣ符号用復号器の測定基準は、また受信品質測定基準として使用することができる。代替として、他の何か適切な測定基準、または上記で説明した測定基準の組合せも、この目的に使用することができる。
【００５３】
いくつかの実施態様において、リンク２０の両方向で、ＡＣＭを使用する。ＡＣＭプロファイルの選択は、個々の受信機によって測定される受信品質に基づいて、各々のリンク方向において独自に実施することも可能である。代替として、ＡＣＭプロファイルの選択は、２つのリンク方向の間で調整することもでき、それを図３の下部で説明する。以下の説明において、特定のリンク方向のＡＣＭプロファイルの選択が、指定されたとき、この方向は、フォーワード・リンクと呼ばれる。対向するリンク方向は、フォーワード・リンクの送信機に対するフィードバック情報のコンテクスト用として使用され、フィードバック・リンクと呼ばれる。いくつかの実施態様において、他のリンク方向が固定のデータ転送速度を有する一方で、一方向のリンク方向だけが、ＡＣＭを使用する。
【００５４】
・有効なフィードバックが存在しないときのＡＣＭ処理
上記で注目したように、ＡＣＭプロファイルの選択および設定を調整することは、送信機にフィードバックされる、受信機で生成された情報に依存することになる。しかしながら、いくつかの実施計画において、このフィードバック情報が送信機で使用不可能である可能性がある。例えば、フォーワード・リンクが動作中であっても、フィードバック・リンクが、ハードウェアの機能障害、性能低下、チャネル干渉、または他の何かの理由のために、機能障害または信頼できない状態になる可能性がある。別の実施計画において、フォーワード・チャネル内での機能障害または性能低下が、フィードバック情報の使用不可能または信頼できない状態を、同様に生じさせることがある。有効なフィードバック情報が存在しない状態が、一時的または永久的である可能性がある。
【００５５】
図２は、転送速度可変の通信リンク２０を管理する方法を概略的に説明するフローチャートであり、特に本発明の一実施態様における、使用可能なフィードバック情報が存在しないときの管理方法を説明するフローチャートである。この管理方法は、リンク２０が、通常の動作モードで動作している通常動作のステップ７０から開始される。この通常の段階において、両方のリンク方向は、適切に動作し、送信機と受信機は、上記で説明したように、ＡＣＭを使用したフォーワード・リンクのデータ転送速度を採用している。
【００５６】
送信機側のコントローラ６０は、有効なフィードバック情報が使用可能か否かを、フィードバックをチェックするステップ７４において実施する。有効なフィードバック情報が、使用可能である限り、リンクは、通常の動作モードで処理を継続する。送信機のコントローラが、上記フィードバック情報が使用不可能であることを検出すると、送信機は、オープン・ループの動作ステップ７８において、所定のオープン・ループ方策を実行開始する。
【００５７】
送信機は、有効なフィードバック情報が存在しないとき、種々の方策（即ち、行動または連結した行動）を実行することができる。送信機は、受信機からのフィードバック無しで動作するので、これらの動作は、通常“ベストエフォート（best effort）”と呼ばれ、フォーワード・リンクの動作維持及び/又はフィードバック・リンクの動作回復を試みることである。
【００５８】
例えば、送信機は、フィードバックが使用不可能であることを検出したとき、フォーワード・リンクを一層下位のＡＣＭプロファイルで処理するように切り替えることが可能である。新規のＡＣＭプロファイルは、使用可能なＡＣＭプロファイルのセットの中から最も下位のＡＣＭプロファイルを選択することも可能である。代替の態様において、送信機は、フォーワード・リンクを、現在使用中のプロファイルに対して次の下位にあるＡＣＭプロファイルに切り替えることも可能である。新規のＡＣＭプロファイルは、代替として現在使用中のプロファイルよりも下位のどのような別のプロファイルを含むことも可能である。また、送信機は、最も下位のＡＣＭプロファイルに到着するまで、時間をかけて徐々にＡＣＭプロファイルを下位にすることが可能である。
【００５９】
（存在するコンテクストにおいて、一層下位のＡＣＭプロファイルは、改善された、さらに堅固なリンク・バジェットを有するプロファイルを意味する。改善されたリンク・バジェットは、通常、一層遅いデータ転送速度による出費に向かうことになる。何故なら、リンク・バジェットの改善は、一層下位の符号レート及び/又は記号に対して一層少ないビットを有する変調方式を、使用することで一般的に達成される。同様に、一層上位のＡＣＭプロファイルは、一層速いデータ転送速度を有するプロファイルを意味し、これは、通常一層堅固でないリンク・バジェットによる出費に向かうことになる。）
【００６０】
送信機が、新規のＡＣＭプロファイルの指示を、フォーワード・リンクのデータフレーム内に挿入することで、受信機は、新規のプロファイルに切り替えることができる。
【００６１】
フォーワード・リンクのＡＣＭプロファイルを下位にする方策は、フィードバックが使用不可能な状況およびフォーワード・リンク内に障害または劣化がある状況において、有利である。フィードバックが使用不可能なので、送信機は、受信機がフォーワード・リンクを使用できるか否か、または一層下位のＡＣＭプロファイルに切り替える必要があるか否かを全く知ることができない。フォーワード・リンク（このリンクは、許容誤差または重要性の度合いを変更するデータを含む可能性がある）内の全データを損失するリスクを避けるために、一層下位のＡＣＭプロファイルに切り替え、より少ないデータを送信し、重要なデータを確保することは価値があることである。
【００６２】
管理方法は、上述のフィードバックをチェックするステップ７４に一巡して戻り、そして、送信機は、フィードバック情報が現在有効であるか否かのチェックを継続する。フィードバックが回復したとき、送信機は、通常のＡＣＭ処理に戻る。
【００６３】
追加案または代替案として、送信機が、フィードバックが使用不可能であることを検出したとき、送信機は、フィードバック・リンクを一層下位のＡＣＭプロファイルに切り替えるように、受信機に要求を送信することが可能である。要求されるＡＣＭプロファイルには、フィードバック・リンク内で使用可能な最も下位のＡＣＭプロファイル、フィードバック・リンク内の使用が知られている最終プロファイルに対して次に下位となるプロファイル、または別の適切などのようなＡＣＭプロファイルを含むことが可能である。この方策は、フォーワード・リンクが動作中で、フィードバックの欠如が、フィードバック・リンク内での故障または劣化で生じているときに好都合である。上記要求が、首尾よく受信機側で受信されると、フィードバック・リンクは、一層下位のＡＣＭプロファイルを使用して、再開されることになる。
【００６４】
送信機は、組み合わされたオープン・ループ方策を実行することが可能であり、この方策は、フォーワード・リンクおよびフィードバック・リンクの両方のＡＣＭプロファイルを修正することを試みる。換言すれば、送信機は、フォーワード・リンクのＡＣＭプロファイルを下位にすることが可能であり、またフィードバック・リンクのＡＣＭプロファイルを下位にする要求を、受信機に送信することが可能である。
【００６５】
また、有効なフィードバックが存在しない時のオープン・ループ方策は、ポイント・トゥ・マルチポイントのアプリケーション内でも実施することができる。リンク２０が、ポイント・トゥ・マルチポイントの通信リンクを含むとき、基地局と呼ばれる特定のシステム２４は、ターミナルと呼ばれる複数のシステム２４に、ＡＣＭを使用してデータを送信する。いくつかの実施態様において、基地局と各々のターミナルとの間のリンクは、ＡＣＭに関して独立に管理される。上記実施態様において、特定のターミナルからのフィードバックが有効でないとき、基地局は、各々のターミナルに対して、他のターミナルとは関係なく、分離されたオープン・ループの決定および方策を実行することが可能である。
【００６６】
しかしながら、代替の態様において、リンクのＡＣＭ処理およびオープン・ループ方策は、複数のターミナルの状態に基づくことになる可能性がある。基地局が、単一のダウンリンク・ストリームを、すべてのターミナルに対して送信するとき、この送信のために選択されるＡＣＭプロファイルは、一般的に複数のターミナル受信機で評価される受信品質測定基準に基づいて選択される。例えば、基地局は、最も悪い受信品質を有するターミナルに適するＡＣＭプロファイルを選択することが可能である。これらの実施態様において、特定のターミナルからのフィードバックが、有効でないとき、基地局によって実行されるオープン・ループ方策は、本質的にすべてのターミナルに影響を与えることになる。
【００６７】
・対向するリンク方向との間でのＡＣＭ調整
いくつかの実施計画およびアプリケーションにおいて、２つの対向する方向にあるリンクによって使用されるＡＣＭプロファイルの選択を調整することは、便利なことである。例えば、いくつかのリンクは、対称性を有するアプリケーション、たとえば双方向のＥ１トランクを送信するリンクのアプリケーションに役立つ。本発明のいくつかの実施態様において、リンク２０は、２つの対向するリンク方向で使用されるＡＣＭプロファイルの接続の選択を実行する。
【００６８】
図３は、本発明の別の実施態様における、転送速度可変の通信リンク２０を管理する方法を、概略的に説明するフローチャートである。この実施態様において、両方向のリンクは、ＡＣＭを適用する。この管理方法は、通信リンク２０の両方向の接続制約を規定するユーザと共に、上記制約を規定するステップ８２において開始される。
【００６９】
いくつかの例において、接続制約は、２つのリンクが同一のＡＣＭプロファイルで処理するように特定する。このＡＣＭプロファイルは、２つのリンク方向が、同一のＡＣＭプロファイルを常に使用する限り、適用することが可能である。これらの場合、２つのリンク方向は、一般的に、より悪いチャネル状態を有するリンク方向に適合するＡＣＭプロファイルで動作することになる。より良いチャネル状態を有する別のリンクは、接続制約のために、転送速度に関して最適な状態よりも遅いデータ転送速度で動作することになる。
【００７０】
別の例において、接続制約は、２つのリンク方向が、特定の品質サービス（Ｑ〇Ｓ）レベルに適合するように特定することも可能である。Ｑ〇Ｓレベルは、目標とするＢＥＲ、ＳＮＲ，ＭＳＥ、または他の適切な測定基準に対して表現することが可能である。これらの例において、２つのリンク方向は、Ｑ〇Ｓ制約に適合可能な最も高いＡＣＭプロファイルを各方向で使用することで、異なるＡＣＭプロファイルおよびデータ転送速度を使用することが可能である。
【００７１】
２つの通信システムは、測定ステップ８６において、個別の受信機における受信品質を測定する。従って、各システム２４は、リンク方向の一方の受信品質を測定することになる。受信機は、この測定目的のために、上記に記載した測定基準の中から、適切などのような受信品質測定基準も使用することができる。
【００７２】
システム２４は、２つのリンク方向で使用されるＡＣＭプロファイルを、連帯して、選択しかつ設定する。この選択と設定は、２つの受信機で実行される受信品質測定基準に基づき、接続用ＡＣＭの設定ステップ９０で実施される。例えば、接続制約を規定する上記ステップ８２で規定された接続制約が、２つのリンク方向が同一のＡＣＭプロファイルを使用するように特定したとき、システム２４は、各々のリンク方向に適したＡＣＭプロファイルを決定し、そして両方向のＡＣＭプロファイルとして、決定した２つのプロファイルの中から一層下位のプロファイルを設定することになる。
【００７３】
接続制約が、２つのリンクが特定のＱ〇Ｓレベルに適合するように特定したとき、システム２４は、各リンク方向のＡＣＭプロファイルとして、接続制約に一致する最上位の使用可能なＡＣＭプロファイルを設定することになる。
【００７４】
システム２４は、ＡＣＭプロファイルの変更を調整するために、種々の方法を使用することができる。例えば、いくつかの実施態様において、システム２４の一方のコントローラ６０は、リンクのマスターコントローラとして指定され、別のシステムのコントローラは、スレーブコントローラとして規定される。両方のリンク方向の受信品質測定基準（または対応して要求されるＡＣＭプロファイル）は、スレーブコントローラに供給される。マスターコントローラは、接続制約に適合するようにＡＣＭプロファイルを選択し、新規に選択したＡＣＭプロファイルについて、スレーブコントローラに通知する。
【００７５】
代替の実施態様において、システム２４は、両システム間のマスター/スレーブ関係を指定すること無しで、対称的な方法でＡＣＭプロファイルの変更を調整することができる。例えば、システム２４の一方で、受信品質が、もはや制約に適合しないことを検出したとき、検出したシステムは、送信機のＡＣＭプロファイルを下位にする。リンクの対向側にある別のシステム２４は、上記変更を検出したとき、それに応じて送信機のＡＣＭプロファイルを変更する。結果として、両方向のＡＣＭプロファイルは、特定のマスターを指定すること無く、調整により変更されることになる。
【００７６】
代替案として、システム２４の一方で、受信品質が、もはや制約に適合しないことを検出したとき、検出したシステムは、同期した方法でＡＣＭプロファイルが変更できるように、２つのシステムのコントローラ６０間でハンドシェイク手順を開始することが可能である。
【００７７】
各個別のリンク（基地局と特定のターミナル間のリンク）のＡＣＭが、分離して管理されているポイント・トゥ・マルチポイントのアプリケーション内において、基地局は、上記で説明した方法を使用して、各個別のリンクのダウンリンクおよびアップリンクのＡＣＭを調整することができる。同一のＡＣＭプロファイルがダウンリンクの送信のすべてにおいて使用されている、ポイント・トゥ・マルチポイントのアプリケーション内において、単一の接続制約が、共通のダウンリンク方向およびすべてのアップリンク方向のために規定することができる。基地局は、上記で説明した方法を使用して、接続用ＡＣＭプロファイルの選択を行う。接続の選択は、一般的に、基地局で測定された種々のアップリンク方向の受信品質、各ターミナルで実施された種々のダウンリンクの受信品質、および接続制約に基づくことになる。
【００７８】
・ＡＣＭプロファイルの選択による使用可能化
いくつかのアプリケーションにおいて、使用可能なＡＣＭプロファイルの全セットから一部のサブセットに合わせて、特定点で使用可能にする、ＡＣＭプロファイルの選択を制限することは、有利である。
【００７９】
現在使用可能なＡＣＭプロファイルの数を削減することは、一般的に誤りのあるプロファイルを選択する確率を減らすことになる。受信機のモデムが、エラーを発生させ、誤ったＡＣＭプロファイルを選択したとき、エラーは、データの損失を発生させ、または同期化の損失さえ発生させる。例えば、いくつかのシステム構成において、データフレームのサイズは、ＡＣＭプロファイルに依存している。これらの構成において、受信機が、誤って選択されたＡＣＭプロファイルにより、モデムおよびフレーマー/デフレーマーを設定したとき、受信機が期待するデータフレームのサイズが、送信機によって送信されるデータフレームのサイズと一致しないことになる。一部の例において、不一致は、リンクが同期化できないことを生じさせる。
【００８０】
現在使用可能なＡＣＭプロファイルの数は、ＡＣＭプロファイル遷移の特定のセットのみを許容することで、減少させることができる。例えば、リンクが、特定ＡＣＭプロファイルの使用で動作するとき、ＡＣＭプロファイル遷移の要求は、次の高位または次の下位への遷移のみが許容されるようにする。他のＡＣＭプロファイル遷移要求はすべて、エラーとして解釈される。
【００８１】
別の実施態様として、期待されるトラフィック負荷が、予め推測されるとき、現時点で使用可能なＡＣＭプロファイルは、期待されるトラフィックに一致するように制限することができる。例えば、特定のリンクは、通常の業務時間の間だけ、高いトラフィック量で送信し、夜間および週末の間は、実質的に休むようにすることが知られている。低いトラフィック期間の間、比較的下位のデータ転送速度のＡＣＭプロファイルだけを使用できるようにするのが有利になる可能性がある。代替として、所定の時間計画に対応させて、ＡＣＭプロファイルを使用可能にするか、または使用不可能にするような、別の時間依存の方策を、また規定することができる。
【００８２】
いくつかの実施態様において、多数のＡＣＭプロファイルを同時に処理することは、実施時の諸理由から困難であると言える。例えば、いくつかの実施態様において、ＡＣＭプロファイルは、モデム３２の内部メモリ内に格納されるが、それは高速スイッチングを可能する目的のためである。使用可能なＡＣＭプロファイルのフルセットを格納することは、モデムの内部メモリ容量を超える可能性がある。これらの実施態様において、モデムは、使用可能なＡＣＭプロファイルの一部からなるサブセットだけを、内部メモリ内にキャッシュとして格納することができる。使用可能なＡＣＭプロファイルのフルセットは、外部メモリに格納することができ、例えば、コントローラ６０が管理するメモリ内に格納することができる。
【００８３】
外部メモリ内に格納されたＡＣＭプロファイルは、使用不可能にし、モデムから直接アクセスされないようにする。この場合、内部メモリ内にキャッシュされたＡＣＭプロファイルのすべてが、使用可能である。しかしながら、代替の実施態様において、内部メモリ内にキャッシュされたＡＣＭプロファイルのいくつかは、使用不可能にする。即ち、内部メモリ内にキャッシュされたＡＣＭプロファイルの一部のサブセットだけを、使用可能とする。
【００８４】
内部メモリ内にキャッシュされたＡＣＭプロファイルの使用不可能な部分を、使用可能とすることができ、例えば、調整状態で、かつヒットレス状態で、リンクのＡＣＭプロファイルの再構成するために使用可能とすることができる。リンクが、使用可能なＡＣＭプロファイルの特定のセットを使用するので、新規のＡＣＭプロファイルを追加することができる（または、完全に再構成するセットを、規定することができる）。新規に追加されたプロファイルは、モデムの内部メモリ内にキャッシュとして格納されるが、一時的に使用不可能である。再構成が、システム２０の両方で完成したとき、再構成されたＡＣＭプロファイルが、調整された方法で使用できるようになる。
【００８５】
図４は、本発明の別の実施態様における、転送速度可変の通信リンク２０内のＡＣＭプロファイルを調整するための方法を概略的に説明するフローチャートである。ここでの説明は、特定のリンク方向のＡＣＭプロファイルに言及する。調整方法は、使用可能なＡＣＭプロファイルのフルセットをユーザが規定するステップ９６から開始される。ユーザによって、サブセットの選択ステップ１００において、リンク使用のために現在用いられるであろう、ＡＣＭプロファイルの一部からなるサブセットが選択される。リンク２０のシステム２４は、サブセットの調整ステップ１０４において、選択されたサブセットを調整する。この調整は、一般的に２つのリンクの終端のコントローラ６０の間の通信によって実施される。システム２４は、部分的なサブセット内のＡＣＭプロファイルを使用して、通信ステップ１０８において通信を実施する。
【００８６】
一部の例では、特定のＡＣＭプロファイルを、１つのシステム２４において使用可能にし、他のシステム２４において使用不可能にする。この状況は、発生する可能性があり、例えば、構成失敗が原因の場合または２つのリンクの終端が異なった時間に構成されたような場合に、発生する可能性がある。このような場合、特定の終端は、他の終端によって要求されることができ、使用不可能なＡＣＭプロファイルを使用して通信することを要求することが可能である。このような状況を避けるために、構成の不一致が一時的にあることを想定して、終端のコントローラ６０は、使用不可能なＡＣＭプロファイルを一度だけ使用する要求を認めることができる。代替案として、異なったプロファイルに最初に切り替わるまで、しかし使用不可能なプロファイルに戻ることがないようにして、コントローラは、使用不可能なＡＣＭプロファイルの使用を継続することが認められる。コントローラは、上記目的のために、ステート・マシン（state-machine）または別の適した方法を使用することが可能である。
【００８７】
また、ＡＣＭプロファイルの部分的に使用可能または不可能は、ポイント・トゥ・マルチポイントのアプリケーションにおいても実行することができる。選択および使用可能/不可能の処理は、各ターミナルにおいて分離して実施することもでき、またはすべてのターミナルで連携して実施することもできる。
【００８８】
・ＡＣＭプロファイル変更メッセージの信頼性向上法
上記で注目したように、選択されたＡＣＭプロファイルの指示が、送信機から受信機に送信されるデータフレーム内に管理情報として実装される。要求されるＡＣＭプロファイルを復号化するときに、受信機側のモデムが誤った場合、このエラーは、データの損失または同期化の損失さえ発生させる可能性がある。
【００８９】
ＡＣＭ変更メッセージを復号化する際のエラーの確率を低減する目的で、いくつかの実施態様で、送信機と受信機との間で使用される管理用プロトコルは、変更メッセージの信頼性を向上させるための手段を含むことが可能である。いくつかの実施態様において、管理用プロトコルは、ＡＣＭプロファイルのどのような任意な変更も認めていないが、ＡＣＭプロファイル間の特定な遷移だけは認めている。例えば、管理用プロトコルは、隣接するＡＣＭプロファイル間の遷移だけを認めることができる。別タイプの遷移は、無効とされ、復号化時のエラーによって生じたとされる。
【００９０】
他の実施態様として、管理用プロトコルは、時間窓（time window）を宣言する追加メッセージを含むことが可能であり、この時間窓において、ＡＣＭ変更メッセージが認められる。追加メッセージに追従する適切な時間窓に到着するＡＣＭ変更メッセージだけが、適法と判断される。代替の実施態様において、管理用プロトコルは、時間窓の開始を記した許可メッセージ、および時間窓の終了を記した不許可メッセージを含む。これらの実施態様において、許可メッセージの後で、かつ不許可メッセージ前に受信されたＡＣＭ変更メッセージだけが、適法としてみなされる。
【００９１】
上記に説明した実施態様は、実施例として引用されており、本発明は、本明細書に特に明示され、記載された内容に限定されるものでないことは、理解されることであろう。むしろ、本発明の範囲は、本明細書に記載された種々の形態の組合せおよび補助的組合せの両方を含み、同様に当業者が、本明細書を読むことおよび従来技術では公開されなかった内容を読むことで、生まれたであろう変形および変更をも含む。
【図面の簡単な説明】
【００９２】
【図１】本発明の一実施態様におけるデータ転送速度可変の通信リンクを、概略的に説明するブロック図である。
【図２】本発明の一実施態様におけるデータ転送速度可変の通信リンクを管理するための方法を、概略的に説明するフローチャートである。
【図３】本発明の一実施態様におけるデータ転送速度可変の通信リンクを管理するための方法を、概略的に説明するフローチャートである。
【図４】本発明の一実施態様におけるデータ転送速度可変の通信リンクを管理するための方法を、概略的に説明するフローチャートである。
【符号の説明】
【００９３】
２０    通信リンク
２４    通信システム
２８    フレーマー/デフレーマー（framer/deframer）
３２    ＡＣＭモデム
３６    ＤＡ変換器
４０    ＲＦユニット
４４    パワーアンプ
４８    デュープレクサー（duplexer）
５２    アンテナ
５６    ＡＤ変換器
６０    コントローラ
【図１】
2009027690.tif 000003
【図２】
2009027690.tif 000004
【図３】
2009027690.tif 000005
【図４】
2009027690.tif 000006
【外国語明細書】
2009027690000001.pdf